(57)【要約】【課題】  コンピュターの中央演算処理装置や集積回路等の発熱部品の熱を外部に放熱して冷却する時に騒音の発生源となる、ファンや冷却水循環ポンプ等の動力を使用しないで外部に放熱冷却し冷却効率を向上した冷却器及び冷却方法を提供する。【解決手段】    コンピュターの中央演算処理装置や集積回路等の発熱部品コンピュターの熱発生源に水冷の熱吸収材を配した熱吸収部と熱吸収部で吸収された熱をコンピューター外部の放熱部に冷却水パイプで連結され且つ、熱吸収部と放熱部のそれぞれの最高水位が熱吸収部より放熱部を高い位置に設置するとともに循環ポンプ等を使用しないで自然循環の冷却を特徴とするものである。【選択図】図１
2009206465.tif 000002
【特許請求の範囲】
【請求項１】
コンピュターの中央演算処理装置や集積回路等の発熱部品の熱発生源に水冷の熱吸収材を配した熱吸収部と熱吸収部で吸収された熱をコンピューター外部の放熱部に冷却水パイプ等で連結され且つ、熱吸収部と放熱部のそれぞれの最高水位が熱吸収部より放熱部が高い位置に設置することを特徴とするものである。
【請求項２】
コンピュターの中央演算処理装置や集積回路等の発熱部品の熱発生源に水冷の熱吸収材を配した熱吸収部と熱吸収部で吸収された熱をコンピューター外部の放熱部に冷却水パイプ等で連結され且つ、熱吸収部と放熱部のそれぞれの最高水位が熱吸収部より放熱部を高い位置に設置するとともに冷却水の循環ポンプを設けない自然循環方式を特徴とするものである。
【発明の詳細な説明】
【技術分野】
【０００１】  本発明はコンピュターの中央演算処理装置や集積回路等の発熱部品１７の熱を外部に放熱して冷却することに係わる。
【背景技術】
【０００２】  従来、コンピュターの中央演算処理装置や集積回路等の発熱部品１７の熱を冷却する手段としてモターを駆動してファンを用いて空冷によって外部に放熱冷却する手段がある。【０００３】  また、コンピュターの中央演算処理装置や集積回路等の発熱部品１７に水冷の熱吸収材１をを配した熱吸収部２０と熱吸収部２０で吸収された熱をコンピューター外部の放熱部７に冷却水パイプ５及び冷却水戻パイプ６で連結され且つ、冷却水をモーターで循環ポンプを駆動し水冷循環によって外部に放熱冷却する手段がある。
【発明の開示】
【発明が解決しようとする課題】
【０００４】  前記、ファンの空冷式や水冷式であってもファンや冷却水の循環ポンプを駆動するモーターから騒音が出たりまた、モーターに不具合が生じ停止等が発生した場合、コンピューターの中央演算処理装置等の破損等致命的な結果となる可能性もあり、さらに装置も複雑化してしまう問題があった。
【課題を解決するための手段】
【０００５】  本発明ではコンピュターの中央演算処理装置や集積回路等の発熱部品１７のに固着する熱吸収材１を配した熱吸収タンク内２の冷却水に伝達され、冷却水の温度が上がると冷却水は比重が軽くなり、熱吸収タンク２上部に設けられる熱吸収タンク出口３から冷却水パイプ５を伝わり、熱吸収部２０より上部に設置される放熱部７の放熱タンク９上部に設けられる放熱タンク冷却水入口１０から放熱タンク９に自然に上がって行き、また、放熱タンク９内に入ってきた加熱された冷却水は放熱タンク９に固着する複数の放熱板８が外部の空気で冷やされることで冷却水は冷却される、温度の低くなった冷却水は比重が重たくなり、下に行こうとして放熱タンク９の下部の放熱タンク冷却水出口１１から冷却水戻りパイプ６を経て中央演算処理装置７に固着する熱吸収部２０の熱吸収タンク入り口４から熱吸収タンク２に入って行き、冷却水は自然に循環する仕組みである。
【発明の効果】
【０００６】  ＮＥＣ製ＶＡＬＵＥＳＴＡＲ−ＶＧ１０Ｊ２Ｚ１４  ＰＥＮＩＩＩ１Ｇラップトップコンピュターの中央演算処理装置（ＣＰＵ）の空冷ファンをとりはずして上記の装置を取り付けて実証してみた結果、コンピューターの作動音はハードデスクやＤＶＤデスクの作動音がかすかにする程度で大幅に低減され作動も長時間安定していた、また電源を切った後も少しの間循環水は循環していることが確認できた。
【発明を実施するための最良の形態】
【０００７】  本発明ではコンピュターの中央演算処理装置や集積回路等の発熱部品１７に熱吸収材１を配した熱吸収部２０に固着する熱吸収タンク内２の冷却水に伝達され、冷却水は温度が上昇し比重が軽くなり、熱吸収タンク２の上部に設ける熱吸収タンク出口３から冷却水パイプ５を伝わり、前記熱吸収部２０より高い位置に設置される放熱部７の放熱タンク９上部に設けられる放熱タンク入口１０から放熱タンクに９自然に入って行く、放熱タンク９内に入ってきた冷却水は放熱タンク９に固着する複数の放熱板８が外部の空気で冷やされることで冷却水は冷却されて温度の低くなった冷却水は下に行こうとして放熱タンク９の下部の放熱タンク出口１１から冷却水戻りパイプ６を経て中央演算処理装置１７に固着する熱吸収部２０の熱吸収タンク入り口４から熱吸収タンク２に入って行き、循環水は自然循環する仕組みである。【０００８】  また前記、コンピュターの中央演算処理装置や集積回路等の発熱部品１７は熱吸収部２０の最も低い位置に設置されるのが望ましく、熱吸収タンク２の熱吸収タンク出口３と熱吸収タンクの入口４及び放熱タンク９の放熱タンク入り口１０と放熱タンク出口１１とのそれぞれの間には高低差が大きいほど循環水は安定的に循環するまた、熱吸収部２０の冷却水入り口４より放熱部７の放熱タンク入り口１１の方が低くなっても問題は無い。さらに、冷却水を溜める熱吸収タンク２及び、放熱タンク９は、どちらか一方であっても問題は無いものであるが、放熱部７には冷却水を溜める放熱タンク９があったほうが望ましい。【０００９】  さらに前記、熱吸収部２０と放熱部７とを連通する冷却水パイプ５及び冷却水戻パイプ６は、逆高低差にならずに短めに配置し、出来るだけ太めの方が安定的であり、熱吸収部２０と放熱部７とを冷却水パイプ５及び冷却水戻パイプ６で連結する手段をとらずに一体型で貫通するような設計であってもよい。
【産業上の利用可能性】
【００１０】  本発明にかかわる産業上の利用可能性はコンピュターの中央演算処理装置や集積回路やアンプや変圧器やコンデンサーやモーター等の発熱部品からの熱を外部に放熱冷却する事に関する。
【図面の簡単な説明】
【００１１】
【図１】  図１は本発明にかかわるコンピューターの主要部を示す側面透映構成図でである。
【図２】  図２は図１の背面図である。
【図３】  図３は本発明にかかわるコンピューターの主要部を示す側面透映構成図でである。
【符号の説明】
【００１２】  １    熱吸収材（コールドプレート）
２    熱吸収タンク
３    熱吸収タンク出口
４    熱吸収タンク入口
５    冷却水パイプ
６    冷却水戻りパイプ
７    放熱部
８    放熱板
９    放熱タンク
１０  放熱タンク冷却水入口
１１  放熱タンク冷却水出口
１２  コンピューターケース
１３  コンピューターケース前面パネル
１４  コンピューターケース背面
１５  コンピューターケース上面
１６  マザーボード
１７  中央演算処理装置（発熱部品）
１８  メモリースロットル
１９  電源供給口
２０  熱吸収部
２１  ＣＤケース
２２  冷却水挿入口
【図１】
2009206465.tif 000003
【図２】
2009206465.tif 000004
【図３】
2009206465.tif 000005